(57)【要約】      （修正有）【課題】レンズ部を浮かして、顔面に触れることなく掛けることができる眼鏡に、パッドの押圧による跡を残さない方向にパッドを取り付け、長時間安定して掛ける眼鏡を提供する。【解決手段】テンプル１０にモダン７を固定するか、又は折り畳めるモダン７を取り付けた眼鏡であって、眼鏡のレンズフレーム、又はレンズ６、６の内側端辺に、パッド本体１、１付アーム２、２又は一体型パッドが接合され、このパッド本体１、１又は一体型パッドが、鼻の鼻根に鉛直方向に又は上向きに当接されることにより、眼鏡を安定させて装着できる構成。【選択図】図１
2014095849.tif 000002
【特許請求の範囲】
【請求項１】
下向き傾斜の鼻パッド（１７）を取り除き、テンプル（１０）に連結部材（１１）を介するか、介せずして、モダン（７）を固定するか、又は折り畳めるモダン（７）を取り付けた眼鏡であって、眼鏡のレンズフレーム（５、５）又はレンズ（６、６）の内側上方角近傍又はブリッジ（２０）又はフロントフレーム（４）に、パッド本体（１、１）付アーム（２、２）又は一体型パッド（３、３）が接合され、このパッド本体（１、１）又は一体型パッド（３、３）が、鼻根（８）に鉛直方向に又は上向きに当接されることにより、眼鏡を顔面に安定させることを特徴とする眼鏡。
【請求項２】
請求項１記載のパッド本体（１、１）又は一体型パッド（３、３）が、目頭（９、９）より上方で鼻根（８）に当接することを特徴とする眼鏡。
【請求項３】
請求項１又は２記載のパッド本体（１、１）付アーム（２、２）又は一体型パッド（３、３）が、左右方向及び前後方向に調整可能に備えられていることを特徴とする眼鏡。
【発明の詳細な説明】
【技術分野】
【０００１】
本発明は、浮いた状態で安定してかけることができる眼鏡に関する。
【背景技術】
【０００２】
従来、眼鏡には前方斜め下向き傾斜の鼻パッドが取り付けられている。そのためにレンズ部の重量が鼻の両側の柔らかい皮膚面を押圧するため、この眼鏡を長期間掛けた場合、鼻パッドの部分が変色して跡が残る。そこで、出願人は鼻パッドが顔に触れずに浮いた状態でかけることができる眼鏡を開発し、先に耳つぼメガネの特許を取得している。この特許はテンプルの端部に連結部材を取り付け、この連結部材に、頭の形状に沿って斜め上方に延設した固定具の下方端を取り付け、この連結部材に、耳殻の外側の形状に沿わせて延長したモダンが、耳朶を避けるように前方に湾曲されていて、このモダンの終端部の最後尾に、メガネを固定するための保持体が、耳の耳珠の表裏面に当接するように成されている構成である。
【先行技術文献】
【特許文献】
【０００３】
【特許文献１】特願２０１２−２１８９０９
【特許文献２】特許第４８２４８３８号
【特許文献３】特開２０１２−０３７６６９
【特許文献４】特開２００６−２０８８１１
【０００４】
特許文献１は、鼻パッド無しメガネのテンプル３、３の端部に、連結部材９、９を固定又は摺動自在に取り付け、この連結部材９、９に、頭の形状に沿って斜め上方に延設した固定具６、６の下方端が取り付けられ、この連結部材９、９に、耳殻４、４の外側の形状に沿わせて延長したモダン１、１が、耳朶５、５を避けるように前方に湾曲されていて、このモダン１、１の終端部の最後尾に、メガネを固定するための保持体２、２が、耳の耳珠７、７の表裏面に当接するように取り付けられ、このモダン１、１の上方端が、回動自在に軸支されていて、前記テンプル３、３に折り重なる方向に、折り畳めるように成されている。
【０００５】
特許文献２は、出願人が先に取得している発明の名称「耳つぼメガネ」特許第４８２４８３８号であり、鼻パッドを取り外し、レンズ部が浮いた状態でかけることができるメガネである。一個又は二個のレンズがパッドを省略して形成されているレンズ部１１、１１と、このレンズ部１１、１１の両脇のヨロイ２、２とを介して、延長されているテンプル４、４の後に、モダン３、３が結合されているメガネであって、前記モダン３、３が耳殻２０、２０の外側の形状に沿わせて延長されており、その終端部は耳朶５、５を避けるように前方に湾曲されており、このモダン３、３の終端部の最後尾には、メガネを固定するための保持体７、７が設けられていて、この保持体７、７が耳珠１、１の表裏面に当接した形状に成されている。
【０００６】
特許文献３は、アイウエアを顔部に対して位置決めするノーズパッド２６２であって、ノーズパッドが取り付けられたアイウエアが顔部に装着された場合に、鼻側になる表面４０２と、その外周が表面の外周に接し、ノーズパッドをアイウエアに取り付けるノーズパッド取り付け部の側の裏面４０４とを有し、表面が、アイウエアが顔部に装着された場合に、鼻に当接する当接面と、当接面か前方側を向いている延伸面とを含む構成である。
【０００７】
特許文献４は、ノーズパッド１の表面を異なる複数の曲率を用いた曲面を組み合わせて形成することで、使用者の鼻の形状に合わせることができるため、鼻の形状の差にかかわらず、誰にでも快適な装用感が得られる。また、メガネフレームに対するノーズパッド１の接着面積を小さく形成することと、ノーズパッド取付け部３がパッド本体２の長手方向に対して所定の角度をつけて形成されることで、様々なデザインのメガネフレームに、ノーズパッドを取り付ける構成である。
【０００８】
特許文献３及び４は、眼鏡を顔面に対して位置決めをして装着するために、前方斜め下向き傾斜のノーズパッドが備えられているが、本願発明は、眼鏡を顔面に対して位置決めをして装着するために、パッドの取り付け角度を鉛直又は前方斜め上向きにして、レンズ６の重量による押圧の全く掛からないようにして掛けられる眼鏡である。
【発明の概要】
【発明が解決しようとする課題】
【０００９】
眼鏡を安定して固定するためにパッドは必要である。レンズ部を浮かして掛けることができる眼鏡に、パッドの押圧による跡を残さない方向にパッドを取り付け、眼鏡を長時間安定して掛けられるようにすることを課題としている。
【課題を解決するための手段】
【００１０】
前方斜め下向き傾斜の鼻パッド１７を取り除き、テンプル１０にモダン７を固定するか、又は折り畳めるモダン７を取り付けた眼鏡であって、眼鏡のレンズフレーム５、５又はレンズ６、６の内側端辺に、パッド本体１、１付アーム２、２又は一体型パッド３、３が接合され、このパッド本体１、１又は一体型パッド３、３が、鼻の鼻根８に鉛直方向に又は前方斜め上向きに当接されることにより、眼鏡を浮いた状態で保持して安定させて装着できる構成である。
【発明の効果】
【００１１】
本発明１の効果として、本発明の眼鏡は、モダン７の最終尾に取り付けた保持体１５、固定具１２、鼻根８に当接したパッド本体１の８か所で眼鏡を浮いた状態で固定しているので、運動しても眼鏡がずれることはない。鼻根８に当接しているパッドは、鉛直方向に又は上向きに当接されるので、レンズ６の重量による押圧は全くなく、軽く鼻根部に接して左右方向、後方向に移動しない様に制御して、眼鏡を顔面に触れずに浮いた状態で安定させて掛けることができる。前方斜め下向き傾斜の鼻パッド１７より小さい形状で作用効果がある。
【００１２】
本発明２の効果として、パッド本体１付アーム２、一体型パッド３を、顔面の目頭９より上方で、鉛直方向に又は上向きに当接されるので、レンズ６の重量による押圧は全くなく、軽く顔面に接して左右方向、後方向に移動しない様に制御して、眼鏡を浮いた状態で安定させて掛けることができる。
【００１３】
本発明３の効果として、パッド本体１付アーム２、一体型パッド３を顔面に接触させ長さを調整することによって、視力矯正の為にレンズ６と目との間の角膜頂点間距離を正確に決めることができる。そして、テンプル１０に取り付けた連結部材１１を調整してモダン３の位置を決め、固定具１２を側頭に合せ、保持体１５を耳珠１６に被せることによって、浮いた状態で新たなフィット感のある安定した眼鏡となる。
【図面の簡単な説明】
【００１４】
【図１】本発明１の実施の形態の一例を示す側面図、斜視図である。
【図２】本発明１の実施の形態の一例を示す斜視図、正面図である。
【図３】本発明１の実施の形態の一例を示す拡大図である。
【図４】本発明１の実施の形態の一例を示す上面図、斜視図である。
【図５】本発明１の実施の形態の一例を示す上面図、斜視図である。
【図６】本発明１の実施の形態の一例を示す斜視図である。
【図７】本発明２の実施の形態の一例を示す正面図、側面図である。
【図８】本発明３の実施の形態の一例を示す拡大図である。
【発明を実施するための形態】
【００１５】
従来の眼鏡は、レンズ部の重量が前方下向き傾斜の鼻パッド１７に押圧として掛かるように成されていて、この鼻パッド１７とへ字状のモダンとが互いに引き合うようにして固定されている。本発明はレンズ部の重量を、モダン７全体でフィットさせ、モダン７の終端部の最後尾に取り付けた保持体１５が、耳の耳珠１６の表裏面に当接することによって、レンズ部が浮いた状態で保持される。そして、本発明の鉛直方向又は前方上向きに取り付けたパッド本体１は、レンズ部が左右方向と後方向に、移動しないように保持しているだけである。以下、本発明の実施の形態について、図面を参照して説明する。
【実施例１】
【００１６】
そこで、本発明の請求項１記載の眼鏡（以下、本発明１と言う）は、前方斜め下向き傾斜の鼻パッド１７を取り除き、テンプル１０に連結部材１１を介するか、介せずして、モダン７を固定するか、又は折り畳めるモダン７を取り付けた眼鏡であって、眼鏡のレンズフレーム５、５又はレンズ６、６の内側上方角近傍又はブリッジ２０又はフロントフレーム４に、パッド本体１、１付アーム２、２又は一体型パッド３、３が接合され、このパッド本体１、１又は一体型パッド３、３が、鼻根８に鉛直方向に又は前方斜め上向きに当接されることにより、眼鏡を顔面に安定させることを特徴としている。
【００１７】
実施の形態の一例として、第１ａ図は本発明１のパッド本体１、１付アーム２、２をレンズ６、６の内側上方角近傍に取り付け、テンプル１０に連結部材１１を介して、折り畳めるモダン７を取り付けた眼鏡を掛けている人の側面図である。第１ｂ図は本発明１の眼鏡の斜視図である。
【００１８】
前方下向き傾斜の鼻パッド１７を取り除き、テンプル１０に折り畳めるモダン７を取り付け、眼鏡のレンズ６、６の内側上方角近傍に、パッド本体１、１付アーム２、２が接合されている。眼鏡のレンズ６が浮いた状態で掛けられることを示している。
【００１９】
本発明１の眼鏡はモダン７の形状が、眼鏡を保持する形状として優れている。眼鏡の形状として、テンプル１０又はレンズなしフレームとモダン７を一体化した形状、テンプル１０又はレンズなしフレームに折り畳めるモダン７を取り付けた形状、モダン７と連結部材１１を一体化した形状をテンプル１０又はレンズなしフレームに取り付けた形状がある。
【００２０】
「前方下向き傾斜の鼻パッド１７を取り除いた眼鏡」とは、出願人が先に取得している特許第４８２４８３８号の「耳つぼメガネ」で説明している。その構成は、二個のレンズ６がパッドを省略して形成されているレンズ部６と、このレンズ部６の両脇のヨロイとを介して、延長されているテンプル１０の後に、モダン７が結合されているメガネであって、モダン７が耳殻１３の外側の形状に沿わせて延長されており、その終端部は耳朶１４を避けるように前方に湾曲されており、このモダン７の終端部の最後尾には、メガネを固定するための保持体１５が設けられていて、この保持体１５が耳珠１６の表裏面に当接した形状に成されている。
【００２１】
「テンプル１０に折り畳めるモダン７を取り付けた眼鏡」とは、出願人が先に出願している特願２０１２−２１８９０９、発明の名称「折り畳めるモダン」である。その構成は、特許第４８２４８３８号の「耳つぼメガネ」のテンプル１０の端部に、連結部材１１を固定又は摺動自在に取り付け、この連結部材１１に、頭の形状に沿って斜め上方に延設した固定具１２の下方端が取り付けられ、モダン７の上方端が、回動自在に軸支されていて、テンプル１０に折り重なる方向に、折り畳めるように成されている。
【００２２】
実施の形態の一例として、第２ａ図は、発明の名称「折り畳めるモダン」のモダン７をテンプル１０に折り重なる方向に略９０度に曲げたことを示す斜視図である。第２ｂ図は、モダン７をテンプル１０、１０に折り重なる方向に折り畳み、そのテンプル１０、１０を内側に閉じた状態を示す正面図である。
【００２３】
かかる構成により、眼鏡を仕舞う時、テンプル１０を内側に閉じて、モダン７を上方に押し上げ、テンプル１０に折り重なる方向に略９０度に曲げて折り畳むことによって、この眼鏡はスリムに収まる。連結部材１１の軸支部分において弾性的に係合し、その展開状態を保持されている。
【００２４】
実施の形態の一例として、第３ａ図は本発明１のパッド本体１、１付アーム２、２を取り付けた眼鏡の拡大図である。眼鏡のレンズフレーム５、５の内側端辺上方にアーム２、２の一方端を取り付け、このアーム２、２の他方端にパッド本体１、１を取り付けたことを示している。このパッド本体１の内側は鉛直状に形成され、鼻根８に鉛直状に当接するので、皮膚に接する部分の形状は凹面になっている。第３ｂ図は本発明１の一体型パッド３を取り付けた眼鏡の拡大図である。眼鏡のブリッジ２０の内側にＹ字状の一体型パッド３の一方端を取り付け、この一体型パッド３の他方端の形状がパッド形状に成されていることを示している。このパッド３は鼻根８の前方斜め上向きの位置に当接するので、皮膚に接する部分の形状は前方斜め上向きの凹面になっている。
【００２５】
実施の形態の一例として、第４ａ図は本発明１の眼鏡を掛けている人の上面図である。眼鏡のブリッジ２０に、Ｙ字形の一体型パッド３、３が接合され、この一体型パッド３、３が、鼻根８に鉛直に鼻根８を挟んで当接することにより、左右方向と後方向にずれないので、眼鏡を顔面に安定させて掛けられることを示している。第４ｂ図は本発明１の眼鏡を掛けている人の斜視図である。眼鏡のブリッジ２０に、Ｙ字形の一体型パッド３が接合され、この一体型パッド３が、鼻根８を上向きに挟んで当接することにより、左右方向と後方向にずれない様に、眼鏡を顔面に浮いた状態で安定させて掛けられることを示している。
【００２６】
本発明１のパッド本体１の表面を構成する曲面は、鼻根８の表面にほぼ合致した曲率の曲面に形成される。メガネを顔に装着し、モダン７を耳に掛け、耳朶１４を避けるように保持体１５を耳珠１６に当接させることにより、メガネが顔の所定の位置に保持される。パッド本体１の表面は、鼻根８の表面にほぼ合致した曲面に形成されているので、メガネからの荷重が掛かることはなく、鼻根８の表面にパッド本体１の跡が付くようなことはなく、快適な装着感が得られる。
【００２７】
本発明１のパッド本体１に取り付けられているアーム２、２を、柔らかい材料、線径の細い材料で形成し、パッド本体１、１に加わるレンズ部からの動きに応じて弾性変形するようにできる。眼鏡を顔に装着した時に、レンズ部からの荷重を感じることはなく、両アーム２、２が僅かに弾性変形することにより、両パッド１、１が鼻の側面に強く当たることは防止され、長時間に渡って快適な装着性が得られる。
【００２８】
実施の形態の一例として、第５図ａは従来の前方下向き傾斜の鼻パッド１７を取り付けた眼鏡を掛けた状態を示す上面図であり、第５図ｂは従来の前方下向き傾斜の鼻パッド１７の眼鏡を掛けた状態を示す斜視図である。この鼻パッド１７は、鼻根８より下方の位置で眼鏡の重量を支えている。そして、鼻パッド１７は鼻横の前方下向き傾斜の位置に当接するので、皮膚に接する部分の形状は凸面になっている。以上のことから、本発明のパッド本体１及び一体型パッド３は、鼻根８の鉛直又は上向きの位置で顔面に当接しているので凹面となり、従来の下向き傾斜の鼻パッド１７は、鼻根８より下方の位置で前方斜め下向き傾斜の顔面に当接しているので、凸面となることが本発明１との相違点である。
【００２９】
実施の形態の一例として、第６図ａはウエァラブル機器１９を取り付けた眼鏡に、本発明１の一体型パッド３を取り付けた状態を示す斜視図であり、第６図ｂはレンズのない眼鏡形状のフレームのフロントフレーム４に、本発明１の一体型パッド３を取り付けた状態を示す斜視図である。
【００３０】
ウエァラブル機器１９は現在開発中であり、軽薄短小に改良されるが、眼鏡に取り付けた場合はウエァラブル機器１９の重量がレンズ部、フロントフレーム４にかかってくる。しかし、本発明１の眼鏡に取り付けることによって、浮かした状態で安定して掛けることができる。
【００３１】
ウェアラブル機器１９とは、カメラ、マイク、スピーカー、インターネット接続を備え、音声操作でＡＲメガネをかけて手ぶらで歩きながら、スケジュールや天気予報、交通情報を調べたり、目的地へのルートを確認したり、友人とメールやビデオ通話で連絡を取り合ったり、ユーザーの健康状態を知らせてくれたり、日常生活の中で目にしている情報をディスプレイ１８上に表示することができる。ウェアラブルコンピューターは、出力デバイスであるディスプレイ１８を目の近くに付けるため、メガネのような形状をしている。
【００３２】
本発明１で言う眼鏡は、老眼鏡、度付きメガネ、ＴＶ・映画用３Ｄメガネ、伊達メガネ、サングラス、風防メガネ、カメラを取り付けたメガネ、拡大鏡を入れたメガネ、ライトを取り付けたメガネ、度数調整可能な液体レンズメガネ、剣道用メガネ、ウェアラブル機器１９を取り付けたメガネ、スクリーンに表示される画像を観察するための画像観察用メガネ、拡張現実（ＡＲ）機能を備えたメガネ、ヘッドバンドを取り付けた手術用メガネなどである。
【実施例２】
【００３３】
本発明の請求項２記載の眼鏡（以下、本発明２と言う）は、請求項１記載のパッド本体１、１又は一体型パッド３、３が、目頭９、９より上方で鼻根８に当接することを特徴としている。
【００３４】
実施の形態の一例として、第７ａ図は本発明２の一体型パッド３が目頭９より上方で鼻根８に当接していることを示す正面図であり、第７ｂ図は側面図である。目頭９の位置は其々の人によって異なるが、目頭９は鼻根８より下方に位置している。
【実施例３】
【００３５】
本発明の請求項３記載の眼鏡（以下、本発明３と言う）は、請求項１又は２記載のパッド本体１、１付アーム２又は一体型パッド３、３が、左右方向及び後方向に調整可能に備えられていることを特徴としている。
【００３６】
実施の形態の一例として、第８ａ図は本発明３のパッド本体１、１付アーム２をレンズフレーム５、５の内側上端に取り付けたことを示す拡大図である。アーム２、２の略中間が内側に湾曲されている。この湾曲の大きさを調整することによって、メガネレンズを装用者の顔面の正しい位置に保持される。
【００３７】
実施の形態の一例として、第８ｂ図は本発明３の一体型パッド３、３をブリッジ２０に調整可能に取り付けた拡大図である。ネジ付筒体２１をブリッジ２０に接合し、そのネジ付筒体２１の空孔部に一体型パッド３の軸を挿入し、正しい位置でネジを締めて前後方向が調整される。また、一体型パッド３のＹ字部を曲げることによって、メガネレンズを装用者の顔面の正しい位置に保持される。
【産業上の利用可能性】
【００３８】
以上のように、前方下向き傾斜の鼻パッド１７を取り除き、テンプル１０にモダン７を固定するか、又は折り畳めるモダン７を取り付けた眼鏡の、パッド本体１付アーム２又は一体型パッド３を鼻根８に鉛直方向に、又は前方斜め上向きに当接させることによって、長期間眼鏡を掛けていても確実に固定され、鼻の横に跡が付いたり、皮膚の色が変色したりする事がなく、鼻に重さを感じる事が無く、実装感が良く、浮いた状態で安定して掛けることができるメガネとして適している
【符号の説明】
【００３９】
１    パッド本体
２    アーム
３    一体型パッド
４    フロントフレーム
５    レンズフレーム         
６    レンズ
７    モダン
８    鼻根
９    目頭
１０    テンプル
１１    連結部材
１２    固定具
１３    耳殻
１４    耳朶
１５    保持体
１６    耳珠
１７    鼻パッド
１８    ディスプレイ
１９    ウェアラブル機器
２０    ブリッジ
２１    ネジ付筒体
【図１】
2014095849.tif 000003
【図２】
2014095849.tif 000004
【図３】
2014095849.tif 000005
【図４】
2014095849.tif 000006
【図５】
2014095849.tif 000007
【図６】
2014095849.tif 000008
【図７】
2014095849.tif 000009
【図８】
2014095849.tif 000010
【手続補正書】
【提出日】平成25年1月4日(2013.1.4)
【手続補正１】
【補正対象書類名】明細書
【補正対象項目名】００１０
【補正方法】変更
【補正の内容】
【００１０】
前方斜め下向き傾斜の鼻パッド１７を取り除き、テンプル１０にモダン７を固定するか、又は折り畳めるモダン７を取り付けた眼鏡であって、眼鏡のレンズフレーム５、５又はレンズ６、６の内側端辺に、パッド本体１、１付アーム２、２又は一体型パッド３、３が接合され、このパッド本体１、１又は一体型パッド３、３が、鼻根（８）に平行な方向に当接するように又は鼻根（８）の前方斜め上向きに当接されることにより、眼鏡を浮いた状態で保持して安定させて装着できる構成である。
【手続補正２】
【補正対象書類名】明細書
【補正対象項目名】００１５
【補正方法】変更
【補正の内容】
【００１５】
従来の眼鏡は、レンズ部の重量が前方下向き傾斜の鼻パッド１７に押圧として掛かるように成されていて、この鼻パッド１７とへ字状のモダンとが互いに引き合うようにして固定されている。本発明はレンズ部の重量を、モダン７全体でフィットさせ、モダン７の終端部の最後尾に取り付けた保持体１５が、耳の耳珠１６の表裏面に当接することによって、レンズ部が浮いた状態で保持される。そして、本発明の鼻根（８）に平行な方向に当接するように又は鼻根（８）の前方上向きに取り付けたパッド本体１は、レンズ部が左右方向と後方向に、移動しないように保持しているだけである。以下、本発明の実施の形態について、図面を参照して説明する。
【手続補正３】
【補正対象書類名】明細書
【補正対象項目名】００１６
【補正方法】変更
【補正の内容】
【００１６】
そこで、本発明の請求項１記載の眼鏡（以下、本発明１と言う）は、下向き傾斜の鼻パッド１７を省略して形成されているレンズ部６又はフロントフレーム４と、このレンズ部６又はフロントフレーム４の両脇のヨロイとを介して、延長されているテンプル１０の後に、モダン７が耳殻１３の外側の形状に沿わせて延長されており、その終端部は耳朶１４を避けるように前方に湾曲されており、このモダン７の終端部の最後尾には、メガネを固定するための保持体１５が設けられていて、この保持体１５が耳珠１６の表裏面に当接した形状に成されていて、テンプル１０に連結部材１１を介するか、介せずして、モダン７を固定するか、又は折り畳めるモダン７を取り付けた眼鏡であって、眼鏡のレンズフレーム５、５又はレンズ６、６の内側上方角近傍又はブリッジ２０又はフロントフレーム４に、パッド本体１、１付アーム２、２又は一体型パッド３、３が接合され、このパッド本体１、１又は一体型パッド３、３が、鼻根８に平行な方向に当接するように又は鼻根８の前方斜め上向きの位置に当接されるように、ブリッジ２０又はフロントフレーム４の延在方向に対して直角に又は上向きに傾斜して設けられていることで、眼鏡を顔面に安定させることを特徴としている。
【手続補正４】
【補正対象書類名】特許請求の範囲
【補正対象項目名】請求項１
【補正方法】変更
【補正の内容】
【請求項１】
下向き傾斜の鼻パッド（１７）を省略して形成されているレンズ部６又はフロントフレーム（４）と、このレンズ部６又はフロントフレーム（４）の両脇のヨロイとを介して、延長されているテンプル１０の後に、モダン７が耳殻１３の外側の形状に沿わせて延長されており、その終端部は耳朶１４を避けるように前方に湾曲されており、このモダン７の終端部の最後尾には、メガネを固定するための保持体１５が設けられていて、この保持体１５が耳珠１６の表裏面に当接した形状に成されていて、テンプル（１０）に連結部材（１１）を介するか、介せずして、モダン（７）を固定するか、又は折り畳めるモダン（７）を取り付けた眼鏡であって、眼鏡のレンズフレーム（５、５）又はレンズ（６、６）の内側上方角近傍又はブリッジ（２０）又はフロントフレーム（４）に、パッド本体（１、１）付アーム（２、２）又は一体型パッド（３、３）が接合され、このパッド本体（１、１）又は一体型パッド（３、３）が、鼻根（８）に平行な方向に当接するように又は鼻根（８）の前方斜め上向きの位置に当接されるように、ブリッジ（２０）又はフロントフレーム（４）の延在方向に対して、直角に又は上向きに傾斜して設けられていることで、眼鏡を顔面に安定させることを特徴とする眼鏡。